(57)【要約】【課題】  枠体への取り付けにねじ等の固定部材を必要とせず、縦枠樹脂カバーを取り外さなくても簡便な作業によって交換することができる戸当たりストッパーを備えた開口部装置を提供する。【解決手段】  建物の開口部に設けられる上枠１、下枠２及び左右の縦枠３、４からなる枠体１０と、該枠体内に引違いに開閉自在に設けられる内障子２０および外障子３０と、内障子および外障子を導いて走行させる下枠に設けられた一対のレール２９、３９と、内障子の召合せ框２４の側面に取り付けられた施解錠部材２７と、右縦枠４に接するように内障子の下レール２６右端部に設置された戸当りストッパー２００とを具備し、戸当りストッパーが配されているレール２９ａ端部では、レールが左縦枠から所定の距離ｗを隔てて設けられており、戸当りストッパーはレールを該レールの長さ方向に導き入れるためのスリット２０１と、該スリット内にてレールと長手方向に接する弾性変形可能な係止片２０２とを有し、係止片の長手方向の一端部がレールの側端面と係合する係合部２０２ａを有している。【選択図】      図１
2005061090.tif 000002
【特許請求の範囲】
【請求項１】
建物の開口部に設けられる上枠、下枠及び左右の縦枠からなる枠体と、該枠体内に引違いに開閉自在に設けられる内障子および外障子と、前記内障子および外障子を導いて走行させる前記下枠に設けられた一対のレールと、前記下枠に設けられたレールの少なくとも１つの端部においていずれかの前記縦枠と接するように設置された戸当りストッパーとを具備し、
前記戸当りストッパーが配されている前記レール端部では、前記レールが前記縦枠から所定の距離を隔てて設けられ、
前記戸当りストッパーは、前記レールを該レールの長さ方向に導き入れるためのスリットと、該スリット内にて前記レールと長手方向に接する弾性変形可能な係止片とを備え、前記係止片の前記長手方向の一端部は前記レールの側端面と係合する係合部を有している開口部装置。
【請求項２】
建物の開口部に設けられる上枠、下枠及び左右の縦枠からなる枠体と、該枠体内に引違いに開閉自在に設けられる内障子および外障子と、前記内障子および外障子を導いて走行させる前記上枠及び下枠それぞれに設けられた一対のレールと、前記レールの少なくとも１つの端部においていずれかの前記縦枠と接するように設置された戸当りストッパーとを具備し、
前記縦枠には樹脂形材が取り付けられるとともに、前記戸当りストッパーの一面側の一部が前記樹脂形材の上下いずれかの端面に当接されており、
前記戸当りストッパーが配されている前記レール端部では、前記レールが前記縦枠から所定の距離を隔てて設けられ、
前記戸当りストッパーは、前記レールを該レールの長さ方向に導き入れるためのスリットと、該スリット内にて前記レールと長手方向に接する弾性変形可能な係止片とを備え、前記係止片の前記長手方向の一端部は前記レールの側端面と係合する係合部を有している開口部装置。
【請求項３】
建物の開口部に設けられる上枠、下枠及び左右の縦枠からなる枠体と、該枠体内に引違いに開閉自在に設けられる内障子および外障子と、前記内障子および外障子を導いて走行させる前記下枠に設けられた一対のレールと、前記内障子の召合せ框の側面に取り付けられた施解錠部材と、前記右縦枠に接するように前記内障子の下レール右端部に設置された戸当りストッパーとを具備し、
前記戸当りストッパーが配されている前記レール端部では、前記レールが前記右縦枠から所定の距離を隔てて設けられており、
前記戸当りストッパーは、前記レールを該レールの長さ方向に導き入れるためのスリットと、該スリット内にて前記レールと長手方向に接する弾性変形可能な係止片とを有し、前記係止片の前記長手方向の一端部が、前記レールの側端面と係合する係合部を有している開口部装置。
【請求項４】
建物の開口部に設けられる上枠、下枠及び左右の縦枠からなる枠体と、該枠体内に引違いに開閉自在に設けられる内障子および外障子と、前記内障子および外障子を導いて走行させる前記上枠及び下枠にそれぞれ設けられた一対のレールと、前記内障子の召合せ框の側面に取り付けられた施解錠部材と、前記右縦枠に接するように前記内障子の少なくとも上下いずれかのレール右端部に設置された戸当りストッパーとを具備し、
前記縦枠には樹脂形材が取り付けられるとともに、前記戸当りストッパーの一面側の一部が前記樹脂形材の上下いずれかの端面に当接されており、
前記戸当りストッパーが配されている前記レール右端部では、前記レールが前記右縦枠から所定の距離を隔てて設けられ、
前記戸当りストッパーは、前記レールを該レールの長さ方向に導き入れるためのスリットと、該スリット内にて前記レールと長手方向に接する弾性変形可能な係止片とを備え、前記係止片の前記長手方向の一端部は前記レールの側端面と係合する係合部を有している開口部装置。
【発明の詳細な説明】
【技術分野】
【０００１】
本発明は、枠体に戸当たりストッパーを備えた開口部装置に関する。
【背景技術】
【０００２】
建物の開口に設けられる上枠、下枠及び左右の縦枠からなる枠体と、該枠体内に引違いに開閉自在に設けられる障子とを有する開口部装置においては、その室内側の障子の召合せ框部分に、クレセント等の施解錠部材が取り付けられている。このように召合せ框部分にクレセント等の施錠部材を有する側の障子を最大に開けた場合、施錠部材が縦枠に衝突して、施錠部材自体や縦枠を損傷するおそれがある。また、クレセント等の施錠部材を有さない側の障子を最大に開けた場合においても、縦枠と障子との間に手を挟んで、怪我をするおそれがある。これを防止するために、一般的に、上枠や下枠の端部に、障子の縦枠への衝突を防止するための戸当たりストッパーが設けられている。戸当たりストッパーは、レール端部に係合され、主に、ねじ等の固定部材によりレール上に固定される。また、戸当たりストッパーの上には、意匠性向上や、結露を防止するために、縦枠に沿って縦枠樹脂カバーが配されている場合が多い。
【０００３】
例えば、特許文献１には、障子引違い式断熱サッシが開示されているが、その一形態として、サッシの下枠の一端部に戸当りブロックが設けられ、その上に縦枠に沿って配された断熱カバーを有する断熱サッシが開示されている。
【特許文献１】特許第３１９８０７３号公報
【発明の開示】
【発明が解決しようとする課題】
【０００４】
戸当たりストッパーは、衝突の衝撃を和らげるため、比較的柔らかい素材である樹脂が主に使用される。これらは長期使用をしているうちに、傷や割れ等の劣化が生じるので、交換の必要が生じる場合がある。しかし、上記のように固定部材により固定され、さらにその上に縦枠樹脂カバーが配されている場合、戸当たりストッパーの交換のためには、まず縦枠樹脂カバーをとりはずし、さらにねじ等の固定部材をはずさなければならず、作業が煩雑で大がかりなものになってしまっていた。
【０００５】
そこで、本発明は、枠体への取り付けにねじ等の固定部材を必要とせず、縦枠樹脂カバーを取り外さなくても簡便な作業によって交換することができる戸当たりストッパーを備えた開口部装置を提供することを課題とする。
【課題を解決するための手段】
【０００６】
以下、本発明について説明する。なお、本発明の理解を容易にするために添付図面の参照符号を括弧書きにて付記するが、それにより本発明が図示の形態に限定されるものではない。なお、本発明全体（特許請求の範囲の記載を含む。）を通じて、「左右」は、開口部装置を室外側正面から見た場合の左右をいうものとする。
【０００７】
請求項１の発明は、建物の開口部に設けられる上枠（１）、下枠（２）及び左右の縦枠（３、４）からなる枠体（１０）と、該枠体内に引違いに開閉自在に設けられる内障子（２０）および外障子（３０）と、内障子および外障子を導いて走行させる下枠に設けられた一対のレール（２９、３９）と、下枠に設けられたレールの少なくとも１つの端部においていずれかの縦枠と接するように設置された戸当りストッパー（２００）とを具備し、戸当りストッパーが配されているレール（２９ａ）端部では、レールが縦枠から所定の距離（ｗ）を隔てて設けられ、戸当りストッパーはレールを該レールの長さ方向に導き入れるためのスリット（２０１）と、該スリット内にてレールと長手方向に接する弾性変形可能な係止片（２０２）とを備え、係止片の長手方向の一端部はレールの側端面と係合する係合部（２０２ａ）を有している開口部装置（１００）により前記課題を解決する。
【０００８】
請求項１の発明によれば、戸当りストッパーは下枠の左右の端部いずれか、あるいは双方に配置することができる。戸当りストッパーが下枠右端部に配置された場合には、内障子召し合わせ框の側面に取り付けられた施解錠装置が、右縦枠に衝突するのが防止される。また戸当りストッパーが下枠左端部に配置された場合には、外障子召し合わせ框が左縦枠に衝突することが回避され、これによって使用者が外障子と左縦枠との間に指を挟まれることが防止される。
【０００９】
いずれの場合にも、戸当りストッパーは、下枠上に載置した後、その戸当りストッパーが接すべき縦框の方向へ横にスライドさせることによりレールと係合されるので、戸当りストッパーの交換をする際に縦枠樹脂カバーをはずさなければならないような大掛かりな作業を必要としない。
【００１０】
請求項２の発明は、建物の開口部に設けられる上枠（１）、下枠（２）及び左右の縦枠（３、４）からなる枠体（１０）と、該枠体内に引違いに開閉自在に設けられる内障子（２０）および外障子（３０）と、内障子および外障子を導いて走行させる上枠及び下枠それぞれに設けられた一対のレール（２９、３９）と、レールの少なくとも１つの端部においていずれかの縦枠と接するように設置された戸当りストッパー（２００）とを具備し、縦枠には樹脂形材（４１）が取り付けられるとともに、戸当りストッパーの一面側の一部が樹脂形材の上下いずれかの端面に当接されており、戸当りストッパーが配されているレール（２９ａ）端部ではレールが縦枠から所定の距離（ｗ）を隔てて設けられ、戸当りストッパーはレールを該レールの長さ方向に導き入れるためのスリット（２０１）と、該スリット内にてレールと長手方向に接する弾性変形可能な係止片（２０２）とを備え、係止片の長手方向の一端部はレールの側端面と係合する係合部（２０２ａ）を有している開口部装置（１００）を提供して前記課題を解決する。
【００１１】
請求項２の発明によれば、戸当りストッパーは上枠及び下枠それぞれの左右の端部の４箇所いずれか、あるいはこれらのうちの複数の個所に配置することができる。戸当りストッパーが上下枠の右端部に配置された場合には、内障子召し合わせ框の側面に取り付けられた施解錠装置が、右縦枠に衝突するのが防止される。また戸当りストッパーが上下枠の左端部に配置された場合には、外障子召し合わせ框が左縦枠に衝突することが回避され、これによって使用者が外障子と左縦枠との間に指を挟まれることが防止される。
【００１２】
いずれの場合にも、戸当りストッパーは、枠に当接した後横方向にスライドさせることによりレールと係合されるので、戸当りストッパーの交換をする際に縦枠樹脂カバーをはずさなければならないような大掛かりな作業を必要としない。また、戸当りストッパーの一面側の一部が樹脂形材の上下いずれかの端面に当接されて上下方向の自由度が規制されているので、上記係止片とレールとによる横方向の自由度の規制と相俟って、戸当りストッパーをより堅固に枠体に固定することが可能となる。また、縦枠の樹脂形材の端面を戸当りストッパーにより隠蔽することが可能となり、意匠性の向上を図ることができる。
【００１３】
請求項３の発明は、建物の開口部に設けられる上枠（１）、下枠（２）及び左右の縦枠（３、４）からなる枠体（１０）と、該枠体内に引違いに開閉自在に設けられる内障子（２０）および外障子（３０）と、内障子および外障子を導いて走行させる下枠に設けられた一対のレール（２９、３９）と、内障子の召合せ框（２４）の側面に取り付けられた施解錠部材（２７）と、右縦枠に接するように内障子の下レール右端部に設置された戸当りストッパー（２００）とを具備し、戸当りストッパーが配されているレール（２９ａ）端部では、レールが右縦枠から所定の距離（ｗ）を隔てて設けられており、戸当りストッパーはレールを該レールの長さ方向に導き入れるためのスリット（２０１）と、該スリット内にてレールと長手方向に接する弾性変形可能な係止片（２０２）とを有し、係止片の長手方向の一端部がレールの側端面と係合する係合部（２０２ａ）を有している開口部装置（１００）により前記課題を解決しようとするものである。
【００１４】
請求項３の発明によれば、戸当りストッパーは下枠の右端部に配置することができる。この場合には、内障子召し合わせ框の側面に取り付けられた施解錠装置が、右縦枠に衝突するのが防止される。戸当りストッパーは、下枠上に載置した後、右横方向にスライドさせることによりレールと係合されるので、戸当りストッパーの交換をする際に縦枠樹脂カバーをはずさなければならないような大掛かりな作業を必要としない。
【００１５】
請求項４の発明は、建物の開口部に設けられる上枠（１）、下枠（２）及び左右の縦枠（３、４）からなる枠体（１０）と、該枠体内に引違いに開閉自在に設けられる内障子（２０）および外障子（３０）と、内障子および外障子を導いて走行させる上枠及び下枠にそれぞれ設けられた一対のレール（２９、３９）と、内障子の召合せ框（２４）の側面に取り付けられた施解錠部材（２７）と、右縦枠に接するように内障子の上下少なくともいずれかのレール右端部に設置された戸当りストッパー（２００）とを具備し、縦枠には樹脂形材（４１）が取り付けられるとともに、戸当りストッパーの一面側の一部が樹脂形材の上下いずれかの端面に当接されており、戸当りストッパーが配されているレール（２９ａ）右端部ではレールが右縦枠から所定の距離（ｗ）を隔てて設けられ、戸当りストッパーはレールを該レールの長さ方向に導き入れるためのスリット（２０１）と、該スリット内にてレールと長手方向に接する弾性変形可能な係止片（２０２）とを備え、係止片の長手方向の一端部はレールの側端面と係合する係合部（２０２ａ）を有している開口部装置（１００）により前記課題を解決しようとするものである。
【００１６】
請求項４の発明によれば、戸当りストッパーは上枠及び下枠それぞれの右端部のいずれか、あるいは双方に配置することができる。このように戸当りストッパーが上下枠の右端部に配置された場合には、内障子召し合わせ框の側面に取り付けられた施解錠装置が、右縦枠に衝突するのが防止される。
【００１７】
戸当りストッパーは、上下いずれかの枠に当接した後右横方向にスライドさせることによりレールと係合されるので、戸当りストッパーの交換をする際に縦枠樹脂カバーをはずさなければならないような大掛かりな作業を必要としない。また、戸当りストッパーの一面側の一部が樹脂形材の上下いずれかの端面に当接されて上下方向の自由度が規制されているので、上記係止片とレールとによる横方向の自由度の規制と相俟って、戸当りストッパーをより堅固に枠体に固定することが可能となる。また、縦枠の樹脂形材の端面を戸当りストッパーにより隠蔽することが可能となり、意匠性の向上を図ることができる。
【発明の効果】
【００１８】
請求項１の発明によれば、戸当りストッパーは下枠の左右の端部いずれか、あるいは双方に配置することができる。戸当りストッパーが下枠右端部に配置された場合には、内障子召し合わせ框の側面に取り付けられた施解錠装置が、右縦枠に衝突するのが防止される。また戸当りストッパーが下枠左端部に配置された場合には、外障子召し合わせ框が左縦枠に衝突することが回避され、これによって使用者が外障子と左縦枠との間に指を挟まれることが防止される。
【００１９】
いずれの場合にも、戸当りストッパーは、下枠上に載置した後、その戸当りストッパーが接すべき縦框の方向へ横にスライドさせることによりレールと係合されるので、戸当りストッパーの交換をする際に縦枠樹脂カバーをはずさなければならないような大掛かりな作業を必要としない。
【００２０】
請求項２の発明によれば、戸当りストッパーは上枠及び下枠それぞれの左右の端部の４箇所いずれか、あるいはこれらのうちの複数の個所に配置することができる。戸当りストッパーが上下枠の右端部に配置された場合には、内障子召し合わせ框の側面に取り付けられた施解錠装置が、右縦枠に衝突するのが防止される。また戸当りストッパーが上下枠の左端部に配置された場合には、外障子召し合わせ框が左縦枠に衝突することが回避され、これによって使用者が外障子と左縦枠との間に指を挟まれることが防止される。
【００２１】
いずれの場合にも、戸当りストッパーは、枠に当接した後横方向にスライドさせることによりレールと係合されるので、戸当りストッパーの交換をする際に縦枠樹脂カバーをはずさなければならないような大掛かりな作業を必要としない。また、戸当りストッパーの一面側の一部が樹脂形材の上下いずれかの端面に当接されて上下方向の自由度が規制されているので、上記係止片とレールとによる横方向の自由度の規制と相俟って、戸当りストッパーをより堅固に枠体に固定することが可能となる。また、縦枠の樹脂形材の端面を戸当りストッパーにより隠蔽することが可能となり、意匠性の向上を図ることができる。
【００２２】
請求項３の発明によれば、戸当りストッパーは下枠の右端部に配置することができる。この場合には、内障子召し合わせ框の側面に取り付けられた施解錠装置が、右縦枠に衝突するのが防止される。戸当りストッパーは、下枠上に載置した後、右横方向にスライドさせることによりレールと係合されるので、戸当りストッパーの交換をする際に縦枠樹脂カバーをはずさなければならないような大掛かりな作業を必要としない。
【００２３】
請求項４の発明によれば、戸当りストッパーは上枠及び下枠それぞれの右端部のいずれか、あるいは双方に配置することができる。このように戸当りストッパーが上下枠の右端部に配置された場合には、内障子召し合わせ框の側面に取り付けられた施解錠装置が、右縦枠に衝突するのが防止される。
【００２４】
戸当りストッパーは、上下いずれかの枠に当接した後右横方向にスライドさせることによりレールと係合されるので、戸当りストッパーの交換をする際に縦枠樹脂カバーをはずさなければならないような大掛かりな作業を必要としない。また、戸当りストッパーの一面側の一部が樹脂形材の上下いずれかの端面に当接されて上下方向の自由度が規制されているので、上記係止片とレールとによる横方向の自由度の規制と相俟って、戸当りストッパーをより堅固に枠体に固定することが可能となる。また、縦枠の樹脂形材の端面を戸当りストッパーにより隠蔽することが可能となり、意匠性の向上を図ることができる。
【００２５】
本発明のこのような作用及び利得は、次に説明する発明を実施するための最良の形態から明らかにされる。
【発明を実施するための最良の形態】
【００２６】
以下本発明を図面に示す実施形態に基づき説明する。
【００２７】
図１は本発明に係る開口部装置を室外側から正面視したときの概略図である。開口部装置１００には、上枠１、下枠２、および左右の縦枠３、及び４からなる枠体１０が備えられている。上記枠体１０には、内障子２０と外障子３０とからなる引違い障子が開閉可能に取り付けられている。内外の障子２０、３０は、上桟２１、３１と、下桟２２、３２と、左右の縦框２３、３３、及び２４、３４とを備えている。開口部装置１００が閉鎖された状態においては、内障子２０の縦框２４と、外障子３０の縦框３４とは召し合わされて配置される。図１はその状態において室外側の視点から表されているので、内障子２０の縦框（召し合わせ框）２４は、外障子３０の縦框（召し合わせ框）３４の背後に位置しており、図には直接現れていない。内外の障子２０、３０のそれぞれ一対の桟、及び框により形成された四辺の中には、ガラスパネル２５、３５がそれぞれ嵌め込まれている。
【００２８】
内障子２０の召合せ框２４の見込み面２６には、クレセント２７が取り付けられている。なお、図１においては、クレセント２７は、外障子３０のガラスパネルのさらに室内側に配置されているので、鎖線をもってあらわされている。さらに、上枠１及び下枠２には、内外の障子２０、３０の引き違い方向への滑走を案内する一対ずつのレールが形成されている。図１においては下枠２に設けられた内障子２０用のレール２ｂのみ鎖線で表されている。レール２ｂの端部には、下枠２の上面と右縦枠４の見込み面に接するように、戸当たりストッパー２００が取り付けられている。図１において、戸当りストッパー２００も、外障子３０のさらに室内側に配置されているので、鎖線をもってあらわされている。
【００２９】
図２は、障子を開けた状態の開口部装置１００の垂直断面を示す図である。上枠１と下枠２との間には、外障子３０、内障子２０からなる一対の引き違い障子が組み込まれている。内障子２０は上下の桟２１、２２を、外障子３０は上下の桟３１、３２を、それぞれ備えている。各上桟２１、３１には振れ止め部材２１ａ、３１ａが内蔵されている。一方、上枠１の下面側から略垂直下方に２本の上レール１ａ、１ｂが延設されており、これら２本の上レール１ａ、１ｂはそれぞれ、外障子３０の振れ止め部材３１ａ、内障子２０の振れ止め部材２１ａの上部スリット内に挿入されている。
【００３０】
各下桟２２、３２には戸車２２ａ、３２ａが内蔵されている。一方、下枠２の上面から略垂直上方に２本の下レール２９、３９が延設されており、これら２本の下レール２９、３９上にはそれぞれ、外障子３０の戸車３２ａ、内障子２０の戸車２２ａが配置されている。かかる構成において、外障子３０の振れ止め部材３１ａ、及び内障子２０の振れ止め部材２１ａは、それぞれ上レール１ａ、１ｂに案内されて摺動され、外障子３０の戸車３２ａ、内障子２０の戸車２２ａは、それぞれ下レール２９、３９上を転動することにより、内外の障子２０、３０が引き違い方向に走行されて開口部装置１００の開閉が行われる。
【００３１】
さらに図２を参照して開口部装置１００の説明を続ける。外障子３０の上下の桟３１、３２には、グレイジングチャネル１３３、１３４により、スペーサ１３５、１３６を狭持するように配置された複層ガラスパネル３５ａ、３５ｂが取り付けられている。内障子２０においても同様に、上下の桟２１、２２には、グレイジングチャネル１２３、１２４により、スペーサ１２５、１２６を狭持するように配置された複層ガラスパネル２５ａ、２５ｂが取り付けられている。内障子２０の複層ガラスパネル２５ａ、２５ｂ、及び外障子３０の複層ガラス３５ａ、３５ｂはそれぞれこれらに狭持されるように配置されたスペーサ１２５、１２６、及び、１３５、１３６により所定の間隔を保っている。この間隔に形成された空気層により、室内外の良好な断熱をはかることが可能となる。
【００３２】
なお、参照符号は付していないが、上枠１、及び下枠２並びに内障子の上下の桟２１、２２、及び外障子の上下の桟３１、３２の室内側の面には基本構造たるアルミ形材にそれぞれ樹脂形材が取り付けられている。そしてアルミ形材と樹脂形材との間にも空隙が形成されており、樹脂材料の熱伝導率が低いことと相俟って、さらに室内外の断熱性が高められ、加えて結露の防止も図られている。
【００３３】
図３は、障子を閉めた状態の開口部装置１００の水平断面を示す図である。図３では、図面上方に室内側、図面下方に室外側が表されており、縦枠３、４が図面の左右に表されている。図３の左側に示されている左縦枠３と、右側に示されている右縦枠４との間には内障子２０と外障子３０とが配置されている。内障子２０のさらに室外側、すなわち図面下方側には網戸５０が取り付けられている。また、左縦枠３及び右縦枠４、並びに内障子２０及び外障子３０の縦框２３、３３、及び内障子２０の召し合わせ框２４には、ベースとなるアルミ形材にその屋内側露出部分を覆う樹脂形材が取り付けられている。これら樹脂形材のうち右縦枠４のアルミ形材に取り付けられているもののみ、参照符号４１を付して表されている。
【００３４】
各障子２０、３０の下方には、下枠２から上方に延設されたレール２９、３９が配置されており、これらのレール２９、３９は、図３において各障子２０、３０の召し合わせ框２４、３４の見込み面側方に現れている。内障子２０の召合せ框２４の見込み面には、クレセント２７（図３には現れていない。）が取り付けられている。
【００３５】
下枠２上において、内障子２０が滑走するレール２９が右縦枠４に突き当たる位置には、戸当たりストッパー２００が配置されている。戸当たりストッパー２００は、下枠２上に載置され、かつその右側面、及び上面の一部が樹脂形材４１の下部側面及び下端面に当接されている。かかる戸当たりストッパー２００は、内障子２０の召合せ框２４側面に取り付けられているクレセント２７が右縦枠４に衝突しないように所定位置から先（右方向）への内障子２０の移動を規制する。
【００３６】
図４は、戸当たりストッパーを取り付けた状態の開口部装置１００の右側下枠部分を室外側からみた斜視図である。図に示されるとおり、枠体１０の右下部分では、右縦枠４と下枠２とが、縦通しに組まれている。縦枠４は、前記したとおり、主体となるアルミニウムサッシ４２と、アルミニウムサッシ４２の開口内面側に取り付けられた樹脂形材４１とを備えている。一方下枠２は、その上面に内障子用レール２９と、外障子用レール３９とを備えている。内障子用レール２９が樹脂形材４１に近接する近傍には、戸当りストッパー２００が配置されている。戸当りストッパー２００は、内障子用レール２９が上方に延設された部分に下枠４上に配置され、その右端側は、一部の上面及び側面が縦枠の樹脂形材４１に当接されている。障子用レール２９は、右縦枠４の近傍で切り欠かれて、２つの部分に分けられている。内障子用レール２９が２つの部分に切りかかれたもののうち、一方の右縦框４寄りの部分は戸当りストッパー２００の内部にあり、図４には現れていない。なお、参照符号６１、および６２で示されているのは、下枠上に溜まった結露水や雨水を室外側に排出するための水抜き穴である。
【００３７】
図５は、図４におけるＶ−Ｖ線に沿った垂直断面図である。下枠２は、室外側ピース２ａと室内側ピース２ｂとが断熱連結材２ｃにより一体化されており、さらにその室内側上面には樹脂形材２ｄが取り付けられている。下枠２の上面側には上方に向けて、外障子用レール３９、及び内障子用レール２９が延設されている。
【００３８】
下枠２上には戸当りストッパー２００が載置されている。戸当りストッパー２００は、ストッパー本体２００ａと、外障子通過許容部２００ｂとを備えている。ストッパー本体２００ａの下面は一部が樹脂形材２ｄの上面、他の部分が室外側ピース２ａの上面に当接され、外障子通過許容部２００ｂの下面は、全てが室外側ピース２ａの上面に当接されている。ストッパー本体２００ａの内部には、見付け方向に下面側に開口するスリット２０１が設けられている。またスリット２０１の内部には、上方から垂下するように延設された係止片２０２が形成されている。戸当りストッパー２００は、例えば合成樹脂を射出成形して作製されている。したがって、係止片２０２は、自由端となっている下端部方向に弾性変形が可能である。
【００３９】
外障子通過許容部２００ｂは、その上面２０３が大きくえぐられた形状をなしている。この形状により、戸当りストッパー２００の部分に外障子３０（の室内側の部分）が通過するのを許容しており、戸当りストッパー２００は、内障子２０の通過のみ規制するように構成されている。外障子通過許容部２００ｂの室外側端部には、上方に延在する壁部２０４が形成されている。壁部２０４の室外側端面は、外障子用レール３９に当接されている。かかる構成により、下枠２の見込み方向に対する戸当りストッパー２００の位置関係が一意に決せられ、戸当りストッパー２００の見込み方向への動きが規制されている。
【００４０】
図６は、本発明の開口部装置に用いられる戸当たりストッパー２００の斜視図である。（ａ）は図４と同一の視点から表した図、（ｂ）は、（ａ）から９０°回転した位置の視点からの斜視図である。図６（ｂ）を参照して、戸当たりストッパー２００の右側端部上面には、縦枠樹脂形材４１を下側から受けるための、受け部２１０、２１１を有している。一方、戸当たりストッパー２００の右側端には、縦枠樹脂形材４１を側方から受けるための、受け部２２０〜２２４を有している。その下に、返し２２１、およびスリット２０１を備えている。
【００４１】
なお、図示のとおり、スリット２０１は見付け方向の右縦枠４に当接されるべき面の側のみに開口されている。戸当りストッパー２００自体の強度、及び意匠性の観点からは、図示のように右縦枠側のみに開口を設けることが好ましい。一方、開口を左縦枠３に面する側の面に貫くように設けても良い。このようにすれば下記するレール２９に切り欠きを設ける必要がないという利点がある。
【００４２】
図７は、本発明の開口部装置１００に用いられる戸当たりストッパー２００を内障子用レール２９に取り付ける際の、戸当たりストッパー２００とレール２９との関係を示す平面図である。簡略化の為、下枠２や縦枠樹脂形材４１等の図示は省略し、戸当りストッパー２００の係止片２０２と、切り欠かれて、２つの部分となった内障子用レール２９のうち、縦枠４近傍にあるもの２９ｂとを示している。前記したとおり戸当たりストッパー２００は、レール２９ｂを見付け方向に導き入れるためのスリット２０１と、レール２９ｂに当接されるべき係止片２０２とを有している。係止片２０２は弾性変形可能であり、その右側端部には、先端部が傾斜を有するとともに、レール２９ｂの端部断面と嵌合する返し２０２ａを有している。
【００４３】
戸当たりストッパー２００を枠体１０に取り付けるには、戸当たりストッパー２００を、スリット２０１にレール２９ｂを導き入れるように、レール２９ｂに沿って縦枠方向（見付け方向）へ滑らせる（図７（ａ））。戸当たりストッパー２００の係止片２０２は、弾性変形可能であるため、レール２９ｂがスリット２０１に入ってくると、上記傾斜に沿ってレール２９ｂに押圧されてレール側部へと弾性変形して、レール２９ｂがスリット２０１内に入るのを可能にする（図７（ｂ））。そして、レール２９ｂがスリット２０１内に完全に収まると、係止片２０２の先の返し２０２ａがレール２９ｂの端部と係合して、戸当たりストッパー２００が見付け方向（図の左方向）に移動されるのを規制する（図７（ｃ））。したがって、前記した見込み方向への動きが規制されていることと相俟って、戸当りストッパー２００は、枠体１０に、固定される。
【００４４】
本発明にかかる開口部装置１００の、内障子用レール２９ｂの端部は、右縦枠４から所定の距離隔てて設けられているが、戸当たりストッパー２００が設置された状態において、その距離は、戸当たりストッパー２００の返し２０２ｂの根元から、戸当たりストッパー２００の端部までの距離ｗ（図７（ｃ）参照）と略同じである。
【００４５】
図８は、開口部装置１００に戸当りストッパー２００を取り付けた状態を示す平面図である。取り付け状態において、切り欠かれた一方の内障子用レール２９ｂは、戸当りストッパー２００の内部に配置され、係止片２０２と平行に当接配置されている。上記内障子用レール２９ｂの見付け方向（左方向）前方には切り欠かれた残りの部分の内障子用レール２９ａが示されている。さらに内障子用レール２９ａ、２９ｂの室外側には、外障子用レール３９が配置されている。
【００４６】
戸当りストッパー２００の右端側は、縦枠樹脂形材４１の形状にはめ込まれるように当接されている。
【００４７】
図９は、取り付け状態における戸当りストッパー２００と内障子用レール２９ａ、２９ｂと、縦枠樹脂形材４１との関係を示す概念図である。樹脂形材４１の下端面はその一部が直接下枠２に当接されているが、他の一部は、図示のとおり戸当りストッパー２００の上面の一部に載置されるように当接されている。このような構成をとることにより、縦枠樹脂形材４１の下端面を隠蔽して意匠性を高めることができるとともに、戸当りストッパー２００の上方への動きを規制して、下枠２上に固定することが可能となる。
【００４８】
さらに従来、戸当たりストッパー２００を外す為には、戸当り部材を下枠に固定するためのビス等の固定部材を取り外した後に、戸当たりストッパー２００を持ち上げるため、上に配されている縦枠樹脂形材４１を外す必要があったが、本発明に用いられている戸当たりストッパー２００は、レール２９ｂに沿って縦枠４と反対方向に平行に強く引っ張るとはずれるので、持ち上げる必要がない。したがって、縦枠樹脂形材４１をはずすことなく取り外し可能である。
【００４９】
（変形例）
１．上記の実施形態において戸当たりストッパー２００が設置されているのは内障子２０走行線上の下枠２の右縦枠４近傍であるが、内障子走行線上の上枠１の右縦枠近傍に、あるいは両方に設置してもよい。これらは、内障子２０の召し合わせ框２４の見込み面に取り付けられたクレセント（施錠部材）２７が右縦枠４に衝突するのを防止するための戸当たりストッパー２００として機能する。
２．一方、外障子３０走行線上の上又は下枠１、２の左縦框３近傍のいずれかある意は両方に設置しても、手や指の怪我防止の為の戸当たりストッパーとして機能するため、有効である。
３．係止片２０２は、ストッパー本体２００ａの上部からスリット２０１内部下方へと延設されている例を示したが、図６（ａ）のスリット２０１開口が設けられている面とは反対側の面（参照符号３００が付されている面）の側から見付け方向（右方向）へと延設する構造としても良い。
【００５０】
以上、現時点において、もっとも、実践的であり、かつ、好ましいと思われる実施形態に関連して本発明を説明したが、本発明は、本願明細書中に開示された実施形態に限定されるものではなく、請求の範囲および明細書全体から読み取れる発明の要旨或いは思想に反しない範囲で適宜変更可能であり、そのような変更を伴う開口部装置もまた本発明の技術的範囲に包含されるものとして理解されなければならない。
【図面の簡単な説明】
【００５１】
【図１】本発明に係る開口部装置を室外側から正面視したときの概略図である。
【図２】障子を開けた状態の開口部垂直断面を示す図である。
【図３】障子を閉めた状態の開口部の水平断面を示す図である。
【図４】戸当たりストッパーを取り付けた状態の開口部装置の下枠部分を室外側からみた斜視図である。
【図５】図４におけるＶ−Ｖ線に沿った垂直断面図である。
【図６】本発明の開口部装置に用いられる戸当たりストッパーの斜視図である。
【図７】本発明の開口部装置に用いられる戸当たりストッパーをレールに取り付ける際の、戸当たりストッパーとレールとの関係を示す平面図である。
【図８】開口部装置に戸当りストッパーを取り付けた状態を示す平面図である。
【図９】取り付け状態における戸当りストッパーとレールと、縦枠樹脂形材との関係を示す概念図である。
【符号の説明】
【００５２】
１  上枠
２  下枠
３  左縦枠
４  右縦枠
１０  枠体
２０  内障子
２４  内障子召し合わせ框
２７  施錠部材（クレセント）
２９、２９ａ  内障子用レール
３０  外障子
３９  外障子用レール
４１  縦枠樹脂形材（樹脂形材）
１００  開口部装置
２００  戸当りストッパー
２０１  スリット
２０２  係止片
２０２ａ  返し（係合部）
【図１】
2005061090.tif 000003
【図２】
2005061090.tif 000004
【図３】
2005061090.tif 000005
【図４】
2005061090.tif 000006
【図５】
2005061090.tif 000007
【図６】
2005061090.tif 000008
【図７】
2005061090.tif 000009
【図８】
2005061090.tif 000010
【図９】
2005061090.tif 000011